(57)【要約】【課題】  ディスクトレイに固定される取付け用フレームをトレイ飾りから分離し、トレイ飾りを単独で変位可能とすることにより、キャビネットの凹入部内でのトレイ飾りのセンタリングを容易に行えるようにする。トレイ飾りの組立て容易性を改善する。【解決手段】  ディスクトレイ５の前端部に動かないように結合された取付け用フレーム８がトレイ飾り６から分離されている。取付け用フレーム８とトレイ飾り６とを圧縮コイルばねでなるばね体３を介して連結する。トレイ飾り６の任意方向での変位幅を規制する変位幅規制機構９と、トレイ飾り６をディスクトレイ５に対する初期位置に位置決めするための位置決め機構７とを備える。変位幅規制機構９が軸部９１円形孔部９２とによって構成されている。位置決め機構７が円錐状の突起７１と凹部７２とによって構成されている。【選択図】        図７
2010009678.tif 000002
【特許請求の範囲】
【請求項１】
キャビネットの凹入部の底壁に備わっている開口窓を通してキャビネットの外方の突出位置とキャビネットの内方の後退位置との間で前進移動と後退移動とが可能なディスクトレイと、このディスクトレイがその後退位置まで後退移動しているときに上記凹入部に嵌まり込んで上記底壁に重なり合うことによりその開口窓を外側から塞ぐトレイ飾りと、このトレイ飾りに設けられて上記ディスクトレイの前端部に動かないように結合された取付け用フレームと、を備えるディスクトレイとトレイ飾りとの取付け構造であって、
上記取付け用フレームが上記トレイ飾りから分離されていて、それらの取付け用フレームとトレイ飾りとが、それら両者を前後方向で互いに近付く方向に常時弾発付勢しかつ上記前後方向と交差する任意方向に上記トレイ飾りが変位することを許容する圧縮コイルばねでなるばね体を介して連結されていると共に、
上記ディスクトレイに対する上記トレイ飾りの上記前後方向に直交する任意方向での変位幅を規制する変位幅規制機構と、上記ばね体によってディスクトレイの前端部に近付く方向に付勢されたトレイ飾りを上記ディスクトレイに対する初期位置に位置決めするための位置決め機構と、を備えていて、ディスクトレイが後退位置まで後退移動したときには上記位置決め機構による位置決め状態が解除されるようになっていることを特徴とするディスクトレイとトレイ飾りとの取付け構造。
【請求項２】
ばね体を形成している上記圧縮コイルばねの輪線部同士が嵌まり合わないように当該圧縮コイルばねの収縮量を規制するストッパ機構が追加されている請求項１に記載したディスクトレイとトレイ飾りとの取付け構造。
【請求項３】
上記変位幅規制機構が、上記トレイ飾りから突出された円柱状の軸部と、上記取付け用フレームに開設されて上記軸部が隙間を保持して遊嵌合されている円形孔部とによって構成されている請求項１に記載したディスクトレイとトレイ飾りとの取付け構造。
【請求項４】
上記位置決め機構が間隔を隔てた２箇所に設けられ、それぞれの位置決め機構が、上記トレイ飾り及び上記取付け用フレームのうちの一方側部材に設けられた先端が円錐状の突起と、他方側部材に設けられて上記突起の円錐状の先端が嵌まり込む円錐状壁面を有する凹部とによって構成されている請求項１に記載したディスクトレイとトレイ飾りとの取付け構造。
【請求項５】
上記取付け用フレームが上記圧縮コイルばねの軸方向一端部を支えるばね受座とその取付け用フレームを貫通して形成された第１開口部とを有し、上記トレイ飾りが、上記第１開口部に隙間を保持して遊嵌合されている第１突出部を有し、その第１突出部に、上記ばね受座で軸方向一端部が支えられた上記圧縮コイルばねが外嵌合されているフック部が設けられ、そのフック部が上記圧縮コイルばねの軸方向他端部に係止してその圧縮コイルばねを圧縮状態に保っている請求項１に記載したディスクトレイとトレイ飾りとの取付け構造。
【請求項６】
上記圧縮コイルばねは、その軸方向他端の輪線部を直径方向に横切るまっすぐな線状の係止端を有し、上記フック部が、円柱状の上記第１突出部の頂部からその第１突出部の軸方向に突き出し、かつ、上記係止端を挿入可能な隙間を隔てて上記第１突出部の径方向で対峙している２つのフック要素に分かれていて、それぞれのフック要素に、上記係止端が引掛けられる掛け止め部と、上記隙間に押し込まれた上記係止端を上記圧縮コイルばねの軸線回りで回転させて上記掛け止め部に導入するための横孔部とが、点対称の位置関係を保って設けられている請求項５に記載したディスクトレイとトレイ飾りとの取付け構造。
【請求項７】
上記第１突出部は、それぞれの上記フック要素の掛け止め部と横孔部との両方に対向する部位が軸方向全長に亘って欠除されていると共に、上記トレイ飾りには、上記第１突出部の欠除箇所に連通する開口が開設されていて、それらの欠除箇所と開口とが、上記トレイ飾りを成形することに用いられる金型の抜き跡によって形成されている請求項６に記載したディスクトレイとトレイ飾りとの取付け構造。
【請求項８】
上記圧縮コイルばねは、軸方向で相隣接している任意の２つの輪線部の相互において軸方向一端部に近い側の輪線部の直径よりも軸方向他端部に近い側の輪線部の直径が短くなっていると共に、それら２つの輪線部のそれぞれの直径の寸法差が、それらの輪線部の軸方向投影像が重なり合う値に定められている裁頭円錐形状を有し、上記取付け用フレームに設けられている上記ばね受座の周囲に円形のリブが突設されていると共に、線状の上記係止端が、上記圧縮コイルばねの軸方向他端部の輪線部の両側に突き出て円形の上記リブの外周直径よりも長くなっている請求項５ないし請求項７のいずれか１項に記載したディスクトレイとトレイ飾りとの取付け構造。
【請求項９】
上記ストッパ機構が、上記トレイ飾りから突出された円柱状の第２突出部と、上記取付け用フレームを貫通して形成されていて上記第２突出部が隙間を保持して遊嵌合されている第２開口部と、上記第２突出部の頂部に取り付けられていて上記第２開口部よりも径大な鍔部と、上記第２開口部の口縁部により形成されて上記鍔部に対峙している受け部と、を有し、上記鍔部と上記受け部とが当接することによって、上記圧縮コイルばねの輪線部同士が嵌まり合うことを阻止するように構成されている請求項２に記載したディスクトレイとトレイ飾りとの取付け構造。
【請求項１０】
上記鍔部が、上記第２突出部の頂部にねじ込まれたビスに一体に形成されている請求項９に記載したディスクトレイとトレイ飾りとの取付け構造。
【請求項１１】
上記変位幅規制機構の軸部が、請求項５に記載した第１突出部と同一部位によってその第１突出部と兼用され、かつ、上記変位幅規制機構の円形孔部が、請求項５に記載した第１開口部と同一部位によってその第１開口部と兼用されている請求項３に記載したディスクトレイとトレイ飾りとの取付け構造。
【請求項１２】
上記変位幅規制機構の軸部が、請求項９に記載した第２突出部と同一部位によってその第２突出部と兼用され、かつ、上記変位幅規制機構の円形孔部が、請求項９に記載した第２開口部と同一部位によってその第２開口部と兼用されている請求項３に記載したディスクトレイとトレイ飾りとの取付け構造。
【発明の詳細な説明】
【技術分野】
【０００１】
本発明は、キャビネットの凹入部に開口窓が形成され、そのキャビネットに収容されているＤＶＤローダといったローダのディスクトレイが上記開口窓に進退移動可能に挿入されていて、ディスクトレイの前端部に取り付けられているトレイ飾りが、ディスクトレイの後退移動により上記凹入部に嵌まり込んで上記開口窓を外側から塞ぐように構成されているキャビネットとトレイ飾りとの取付け構造に関する。
【０００２】
特に、ディスクトレイに対してトレイ飾りを独立して変位可能に構成することによって、上記凹入部内でのトレイ飾りの位置合わせ（センタリング）を容易にしたり、ディスクトレイの後退位置（クローズ位置）の誤差を容易に吸収させたりすることのできるディスクトレイとトレイ飾りとの取付け構造に関する。
【背景技術】
【０００３】
記録媒体としてのディスクを光学的に処理する機能を有するＤＶＤローダなどのローダは、ディスクを光学的に処理するためのディスクセット位置（上記したクローズ位置に相当する）に対して前進後退の各移動を行うディスクトレイを備えている。また、このようなローダを収容しているキャビネットには開口窓が設けられていて、その開口窓を通してディスクトレイがキャビネットの外方の突出位置（オープン位置）とキャビネットの内方の後退位置（クローズ位置）との間で前進移動と後退移動とを行うように構成されている。
【０００４】
図１はこの種のキャビネットの要部とディスクトレイとの取り合わせを示した概略斜視図である。ローダを収容しているキャビネットは高さ方向Ｈよりも幅方向Ｗに長い横長偏平の箱体でなる。一般的なこの種のキャビネットは、フロントパネルとボトムシャーシとトップケースとを合わせることにより箱形に形成されている。
【０００５】
図１には、キャビネットの構成要素であるフロントパネルを符号１で示してあり、キャビネットに収容されているローダのディスクトレイを符号５で示してあって、上記したボトムシャーシやトップケースは図示省略されている。ディスクトレイ５が組み付けられているローダも図示省略されている。
【０００６】
同図のように、ディスクトレイ５は、フロントパネル１の開口窓２１を通して矢印Ｙ１で示した外方への前進移動と矢印Ｙ２で示した内方への後退移動とが可能である。そして、開口窓２１の外側へ矢印Ｙ１のように前進移動して突出位置に到達したディスクトレイ５に対して、ディスクを載架したりディスクを取り出したりすることが行われる。さらに、ディスクが載架されたディスクトレイ５は、開口窓２１を通して矢印Ｙ２方向に後退移動してそのディスクを後退位置まで搬入する。
【０００７】
開口窓２１は、フロントパネル１に設けられた凹入部２の底壁２２に形成されている。具体的には、開口窓２１は、凹入部２の矩形環状の底壁２２により取り囲まれて横長矩形に形作られている。なお、フロントパネル１の凹入部２、底壁２２、開口窓２１は、後述する図１１〜図１３によっても説明的に示されている。
【０００８】
ディスクトレイ５には、その前端部を覆う形態で幅方向Ｗに長い横長のトレイ飾り６が取り付けられていて、ディスクトレイ５が開口窓２１の内方へ矢印Ｙ２のように後退移動してディスクをディスクセット位置に搬入したときに、トレイ飾り６が凹入部２に嵌まり込んで開口窓２１を外側から塞ぐようになっている。このトレイ飾り６は、凹入部２に嵌まり込んで開口窓２１を見えなくすることにより、キャビネットの外観の見栄えを向上させることに役立っている。
【０００９】
トレイ飾り６をディスクトレイ５と一体に成形することなく、それを別体としてディスクトレイ５の前端部に取り付けてある理由は、トレイ飾り６は、凹入部２に嵌まり込むことができるけれども開口窓２１を通過し得ないサイズを有していることによる。すなわち、トレイ飾り６が開口窓２１を通過し得ないサイズを有しているので、ディスクトレイ５を備えるローダをキャビネットに装着する前にトレイ飾りをディスクトレイ５に取り付けてしまうと、トレイ飾り６を凹入部２の外側に配備することができなくなる。そこで、ローダをキャビネットに装着した後に、開口窓２１の外側へ突き出したディスクトレイ５の前端部にトレイ飾り６を装着する必要があることによる。
【００１０】
また、従来は、トレイ飾り６が、それと共に樹脂で一体成形されている取付け用フレーム（図に現れていない）を備えていて、その取付け用フレームをディスクトレイ５の前端部に係合構造、ビス止め構造などの適宜手段で固定することにより、トレイ飾り６がディスクトレイ５の前端部に動かないように取り付けられている。
【００１１】
ところで、フロントパネル１の凹入部２にトレイ飾り６が嵌まり込んでいるときに、トレイ飾り６が、凹入部２内で傾いていたり凹入部２内で偏って位置していたりすると、それが目立ってキャビネットの外観品位が低下することが判っている。
【００１２】
一方、ディスクトレイ５の前端部に対するトレイ飾り６の取付け構造として、トレイ飾り６をディスクトレイ５の前端部に動かないように固定した構造が従来より知られている（たとえば、特許文献１参照）。この特許文献１には、開口窓の口縁部分やトレイ飾り（トレイパネル）が開口窓を有する凹入部に嵌まり込むときに、そのトレイ飾りを凹入部の中央に誘導して位置合わせするというセンタリングを行うための位置規制部を設けることも記載されている。
【００１３】
しかし、特許文献１のように、トレイ飾り６をディスクトレイ５の前端部に動かないように固定してあるものには次に説明する問題があった。すなわち、ディスクトレイを備えるローダはキャビネットのボトムシャーシの所定位置にビス止めなどの手段で固定されているけれども、ローダが傾いて取り付けられたり、取付け部分にがたつきが存在していたりすることがある。また、ローダの取付位置精度には不可避的なばらつきがある。さらに、キャビネットのフロントパネルやボトムシャーシ自体が公差範囲内で傾いていることもある。そのため、ディスクトレイが後退位置まで後退移動してトレイ飾りがフロントパネルの凹入部に嵌まり込んで開口窓を塞いでいるときに、凹入部内でトレイ飾りが傾いたりして凹入部の中央に位置合わせされなくなって、キャビネットの外観品位を低下させるという事態を招くおそれがあった。
【００１４】
そこで、ローダにおけるディスクトレイ５の組付け部分に不可避的に存在する組付けガタを利用してディスクトレイに取り付けられたトレイ飾りをキャビネットの凹入部の中央に位置合わせさせることが行われていた。しかし、この方法では、組付けガタによって吸収することのできる範囲内でのみトレイ飾りを凹入部の中央に位置合わせすることできるに過ぎず、トレイ飾りを位置合わせすることのできる範囲が狭く制限されてしまうという不都合がある。
【００１５】
一方、従来より、ディスクトレイの前端部に取付け用フレームを介してトレイ飾りを取り付けている記録再生装置にあっては、取付け用フレームをトレイ飾りから分離して別部材とし、それらの取付け用フレームとトレイ飾りとを引張りコイルばねを用いて連結することにより、ディスクトレイに対するトレイ飾りの変位を許容するという構成を採用したものがあった（たとえば、特許文献２参照）。この特許文献２に示されている記録再生装置では、トレイ飾り（蓋体）が、ディスクトレイに固定されている取付け用フレーム（ベース部材）に対して引張りコイルばね（弾性体）の作用で常時引き寄せられていて、ディスクトレイが後退位置まで後退したときには、トレイ飾りが開口窓（挿抜口）の傾斜した口縁（傾斜面）に弾圧され、かつ、引張りコイルばねが引き延ばされて取付け用フレームがトレイ飾りから少しだけ離れるようになっている。
【特許文献１】特開２００６−１３４４１４号公報
【特許文献２】特開２００６−３２３９２８号公報
【発明の開示】
【発明が解決しようとする課題】
【００１６】
特許文献２によって提案されている記録再生装置によると、ディスクトレイに対するトレイ飾りの変位が許容されているので、その特許文献２に記載されている技術を適用すると、上記したようなローダの取付位置精度のばらつきやフロントパネルやボトムシャーシの傾きなどが存在していも、そのことの影響を受けることなく、フロントパネルの凹入部に嵌まり込んだトレイ飾りの凹入部内での傾きを修正してキャビネットの外観品位の低下を回避することが可能であるとも考えられる。
【００１７】
しかしながら、特許文献２に記載されている技術を適用すると、ディスクトレイに固定されている取付け用フレームとトレイ飾りとの間に引張りコイルばねを介在させるときに、その引張りコイルばねの一端及び他端のフック部を取付け用フレームやトレイ飾りのばね掛け部に引掛けるという煩わしい作業を狭いスペースで行うことを余儀なくされるために、組立てに熟練が必要になり、しかも、組立て作業の迅速性がその作業によって阻害されるおそれが多分にある。
【００１８】
本発明は以上の状況に鑑みてなされたものであり、ディスクトレイに固定される取付け用フレームをトレイ飾りから分離して別部材とし、それらの取付け用フレームとトレイ飾りとをばね体を用いて連結してディスクトレイに対するトレイ飾りの変位を許容するという構成を採用することにより、キャビネットの凹入部に嵌まり込んだトレイ飾りを凹入部の中央に位置合わせすることを容易にすることを基本とし、その上で、特許文献２に記載されているものよりも組立て容易性が改善されるディスクトレイとトレイ飾りとの取付け構造を提供することを目的としている。
【００１９】
また、本発明は、ディスクトレイに対してトレイ飾りが不必要に変位することを回避し、併せて、ディスクトレイが前進移動してトレイ飾りがフロントパネルの凹入部の前方へ突き出たときでも、ディスクトレイに対する初期位置にトレイ飾りが位置してその外観品位が高まるディスクトレイとトレイ飾りとの取付け構造を提供することを目的としている。
【００２０】
さらに、本発明は、ディスクトレイに固定されている取付け用フレームとトレイ飾りとを圧縮コイルばねを用いて連結した構造において、ディスクトレイが後退位置まで後退移動したときに、圧縮コイルばねが過度に圧縮されてその圧縮コイルばねによる適正な付勢作用が損なわれるという事態を未然に防ぐことのできるディスクトレイとトレイ飾りとの取付け構造を提供することを目的としている。
【００２１】
さらに、本発明は、一般的に樹脂製であるトレイ飾りや取付け用フレームの成形用の金型の構造を簡素化することのできるディスクトレイとトレイ飾りとの取付け構造を提供することを目的としている。
【課題を解決するための手段】
【００２２】
本発明に係るディスクトレイとトレイ飾りとの取付け構造は、キャビネットの凹入部の底壁に備わっている開口窓を通してキャビネットの外方の突出位置とキャビネットの内方の後退位置との間で前進移動と後退移動とが可能なディスクトレイと、このディスクトレイがその後退位置まで後退移動しているときに上記凹入部に嵌まり込んで上記底壁に重なり合うことによりその開口窓を外側から塞ぐトレイ飾りと、このトレイ飾りに設けられて上記ディスクトレイの前端部に動かないように結合された取付け用フレームと、を備えている。
【００２３】
そして、上記取付け用フレームが上記トレイ飾りから分離されていて、それらの取付け用フレームとトレイ飾りとが、それら両者を前後方向で互いに近付く方向に常時弾発付勢しかつ上記前後方向と交差する任意方向に上記トレイ飾りが変位することを許容する圧縮コイルばねでなるばね体を介して連結されている。また、上記ディスクトレイに対する上記トレイ飾りの上記前後方向に直交する任意方向での変位幅を規制する変位幅規制機構と、上記ばね体によってディスクトレイの前端部に近付く方向に付勢されたトレイ飾りを上記ディスクトレイに対する初期位置に位置決めするための位置決め機構と、を備えていて、ディスクトレイが後退位置まで後退移動したときには上記位置決め機構による位置決め状態が解除されるようになっている。
【００２４】
この構成であると、トレイ飾りがディスクトレイに対して前後方向と交差する任意方向に変位可能であることにより、キャビネットの凹入部に嵌まり込んだトレイ飾りを凹入部の中央に容易に位置合わせすることが可能になる。また、取付け用フレームとトレイ飾りとを連結するばね体に圧縮コイルばねを用いたことにより、ばね体を取付け用フレームとトレイ飾りとの間に介在させるときの作業性が改善されて、組立て作業を迅速にかつ容易に広いスペースで行うことができるようになる。
【００２５】
本発明では、ばね体を形成している上記圧縮コイルばねの輪線部同士が嵌まり合わないように当該圧縮コイルばねの収縮量を規制するストッパ機構が追加されている、という構成を採用することが可能である。これによれば、圧縮コイルばねが過度に圧縮されてその輪線部同士が嵌まり合うという事態が起こらなくなる。そのため、圧縮コイルばねによる適正な付勢作用が損なわれなくなる。
【００２６】
本発明では、上記変位幅規制機構が、上記トレイ飾りから突出された円柱状の軸部と、上記取付け用フレームに開設されて上記軸部が隙間を保持して遊嵌合されている円形孔部とによって構成されていることが望ましい。これによると、変位幅規制機構の構成が簡単になり、しかも、トレイ飾りや取付け用フレームの成形用金型の構成が、変位幅規制機構によって複雑化されないという利点がある。
【００２７】
本発明では、上記位置決め機構が間隔を隔てた２箇所に設けられ、それぞれの位置決め機構が、上記トレイ飾り及び上記取付け用フレームのうちの一方側部材に設けられた先端が円錐状の突起と、他方側部材に設けられて上記突起の円錐状の先端が嵌まり込む円錐状壁面を有する凹部とによって構成されていることが望ましい。これによると、ディスクトレイが前進移動してトレイ飾りがフロントパネルの凹入部の前方へ突き出たときでも、ディスクトレイに対する初期位置にトレイ飾りが確実に位置してその外観品位が高まるだけでなく、トレイ飾りや取付け用フレームの成形用金型の構成が、変位幅規制機構によって複雑化されないという利点がある。
【００２８】
本発明では、上記取付け用フレームが上記圧縮コイルばねの軸方向一端部を支えるばね受座とその取付け用フレームを貫通して形成された第１開口部とを有し、上記トレイ飾りが、上記第１開口部に隙間を保持して遊嵌合されている第１突出部を有し、その第１突出部に、上記ばね受座で軸方向一端部が支えられた上記圧縮コイルばねが外嵌合されているフック部が設けられ、そのフック部が上記圧縮コイルばねの軸方向他端部に係止してその圧縮コイルばねを圧縮状態に保っている、という構成を採用することが可能である。この構成であると、圧縮コイルばねを設置するのに余分な部品を用いなくて済む。しかも、圧縮コイルばねを設置するのに必要なフック部が圧縮コイルばねの内側に位置しているために、そのフック部の設置スペースを圧縮コイルばねの外側に確保する必要がなくなり、それだけ取付け用フレームなどを小形化しやすくなる。
【００２９】
本発明において、上記圧縮コイルばねは、その軸方向他端の輪線部を直径方向に横切るまっすぐな線状の係止端を有し、上記フック部が、円柱状の上記第１突出部の頂部からその第１突出部の軸方向に突き出し、かつ、上記係止端を挿入可能な隙間を隔てて上記第１突出部の径方向で対峙している２つのフック要素に分かれていて、それぞれのフック要素に、上記係止端が引掛けられる掛け止め部と、上記隙間に押し込まれた上記係止端を上記圧縮コイルばねの軸線回りで回転させて上記掛け止め部に導入するための横孔部とが、点対称の位置関係を保って設けられている、という構成を採用することが可能である。この構成を採用すると、取付け用フレームのばね受座に載置した圧縮コイルばねの線状の係止端を２つのフック要素の隙間に押し込んだ後、その係止端を圧縮コイルばねの軸線回りで回転させて横孔部に入れて掛け止め部に導入するという作業を行うだけで、その圧縮コイルばねを設置することが容易に可能になる。
【００３０】
本発明において、上記第１突出部は、それぞれの上記フック要素の掛け止め部と横孔部との両方に対向する部位が軸方向全長に亘って欠除されていると共に、上記トレイ飾りには、上記第１突出部の欠除箇所に連通する開口が開設されていて、それらの欠除箇所と開口とが、上記トレイ飾りを成形することに用いられる金型の抜き跡によって形成されている、という構成を採用することが可能である。この構成を採用することにより、トレイ飾りを成形することに用いられる金型の構成が簡素化される。
【００３１】
本発明において、上記圧縮コイルばねは、軸方向で相隣接している任意の２つの輪線部の相互において軸方向一端部に近い側の輪線部の直径よりも軸方向他端部に近い側の輪線部の直径が短くなっていると共に、それら２つの輪線部のそれぞれの直径の寸法差が、それらの輪線部の軸方向投影像が重なり合う値に定められている裁頭円錐形状を有し、上記取付け用フレームに設けられている上記ばね受座の周囲に円形のリブが突設されていると共に、線状の上記係止端が、上記圧縮コイルばねの軸方向他端部の輪線部の両側に突き出て円形の上記リブの外周直径よりも長くなっていることが望ましい。この構成であれば、圧縮コイルばねが過度に圧縮されて線状の係止端がその圧縮コイルばねの内側に嵌まり込むという事態が防止されて、圧縮コイルばねによる適正な付勢作用が損なわれなくなる。
【００３２】
本発明では、上記ストッパ機構が、上記トレイ飾りから突出された円柱状の第２突出部と、上記取付け用フレームを貫通して形成されていて上記第２突出部が隙間を保持して遊嵌合されている第２開口部と、上記第２突出部の頂部に取り付けられていて上記第２開口部よりも径大な鍔部と、上記第２開口部の口縁部により形成されて上記鍔部に対峙している受け部と、を有し、上記鍔部と上記受け部とが当接することによって、上記圧縮コイルばねの輪線部同士が嵌まり合うことを阻止するように構成されていることが望ましい。この構成によっても、圧縮コイルばねによる適正な付勢作用が損なわれなくなる。
【００３３】
本発明では、上記鍔部が、上記第２突出部の頂部にねじ込まれたビスに一体に形成されているものであってもよい。
【００３４】
本発明では、上記変位幅規制機構の軸部が、上記第１突出部と同一部位によってその第１突出部と兼用され、かつ、上記変位幅規制機構の円形孔部が、上記第１開口部と同一部位によってその第１開口部と兼用されている、という構成を採用することが可能である。また、上記変位幅規制機構の軸部が、上記第２突出部と同一部位によってその第２突出部と兼用され、かつ、上記変位幅規制機構の円形孔部が、上記第２開口部と同一部位によってその第２開口部と兼用されている、という構成を採用することが可能である。
【発明の効果】
【００３５】
以上のように、本発明によれば、ディスクトレイに固定された取付け用フレームにばね体を用いてトレイ飾りが変位可能に連結されているので、キャビネットの凹入部に嵌まり込んだトレイ飾りを凹入部の中央に位置合わせすることが容易に可能になる。また、上記ばね体として圧縮コイルばねを用いたことにより、特許文献２に記載されているものよりも組立て容易性が改善されるという効果が奏される。さらに、本発明では、変位幅規制機構の作用により、ディスクトレイに対してトレイ飾りが不必要に変位することが回避され、併せて、位置決め機構の作用により、ディスクトレイが前進移動してトレイ飾りがフロントパネルの凹入部の前方へ突き出たときでも、ディスクトレイに対する初期位置にトレイ飾りが位置してその外観品位の低下が防止されるという効果も奏される。
【００３６】
そのほか、本発明によると、圧縮コイルばねが過度に圧縮されてその圧縮コイルばねによる適正な付勢作用が損なわれるという事態を未然に防ぐことができるという効果が奏される。
【００３７】
さらに、本発明によると、トレイ飾りや取付け用フレームの成形用の金型の構造を簡素化することができるという効果も奏される。
【発明を実施するための最良の形態】
【００３８】
図２は本発明の第１実施形態に係るトレイ飾りや取付け用フレームなどを示した分解斜視図である。同図のトレイ飾り６は、樹脂成形体でなる横長のトレイ飾り本体６１とアルミニウム製の化粧パネル６２とを有し、両者は両面粘着テープ６３を用いて一体に接合される。そして、トレイ飾り６が、圧縮コイルばねでなるばね体３を用いて取付け用フレーム８に連結されるようになっている。
【００３９】
図３Ａは、取付け用フレーム８、トレイ飾り６、ばね体３などを有するトレイ飾りユニットＡの分解斜視図、図３Ｂはトレイ飾りユニットＡを分解断面図である。
【００４０】
取付け用フレーム８はトレイ飾り６から分離された別部材によって構成されている。この取付け用フレーム８は、横長の前板部８１とその前板部８１の幅方向端部に立ち上げられた目隠し板部８２とを一体に有するほか、多くのリブや係止爪の集合でなる取付け機構８３を有し、その取付け機構８３の作用によって、ディスクトレイ５（図１参照）の前端部に動かないように固定することができるようになっている。
【００４１】
取付け用フレーム８とトレイ飾り６とは、上記したように圧縮コイルばねでなるばね体３を介して連結されていて、そのばね体３の作用によって、取付け用フレーム８とトレイ飾り６とが前後方向（図１に矢印Ｙ１，Ｙ２で示した方向）で互いに近付く方向に常時弾発付勢され、かつ、上記前後方向と交差する任意方向に上記トレイ飾りが変位することが許容されている。ここで、「前後方向と交差する任意方向」とは、図１に矢印Ｙ１で示した前進移動方向及び同図に矢印Ｙ２で示した後退移動方向に直交している高さ方向Ｈや幅方向Ｗのほか、上記各移動方向Ｙ１，Ｙ２に対する任意の斜め方向を含めた方向を意味している。
【００４２】
次に、図７〜図１０を参照してばね体３の取付け部構造の具体例を説明する。図７はトレイ飾りユニットＡの部分断面図である。図８はトレイ飾り６の部分断面図であり、図９は図８のＩＸ−ＩＸ線に沿う部分の断面図である。図１０はばね体３の取付け部構造の背面図である。
【００４３】
図７〜図９のように、トレイ飾り６には、トレイ飾り本体６１に設けられた円柱状の第１突出部４１が備わっていて、この第１突出部４１にその頂部から軸方向に突き出たフック部４２が設けられている。図８又は図１０のように、この実施形態のフック部４２は、第１突出部４１の径方向で隙間Ｓを隔てて対峙している２つのフック要素４３，４３に分かれている。それぞれのフック要素４３，４３は点対称の形状を有し、かつ、点対称の位置関係を保って第１突出部４１の頂部から軸方向に突き出ている。それらのフック要素４３には、第１突出部４１に向けて開いている鉤形の掛け止め部４４と、上記隙間Ｓに向けて開いて上記掛け止め部４４につながっている横孔部４５とが設けられている。これに対し、図７に示したように、取付け用フレーム８には、上記第１突出部４１よりも十分に径大な円形の第１開口部８４が貫通して形成されている。この第１開口部８４は、取付け用フレーム８に設けられている円形のばね受座８５により取り囲まれて円形に形作られている。そして、第１開口部８４に第１突出部４１が遊び空間としての隙間を保持して遊嵌合されている。また、トレイ飾り６と取付け用フレーム８とは、後述する位置決め機構７を介して重なり状に合わされている。
【００４４】
図７のように、圧縮コイルばねでなるばね体３は、上記した第１突出部４１とフック部４２とに外嵌合されていて、その軸方向一端部が取付け用フレーム８のばね受座８５に載架されて支えられているのに対し、その軸方向他端部に設けられているまっすぐな線状の係止端３１が上記した２つの各フック要素４３の掛け止め部４４に係止されている。この状態で、ばね体３は軸方向に圧縮された状態に保たれている。したがって、トレイ飾り６は、ばね体３の弾発付勢作用によって取付け用フレーム８側に常時引き寄せられている。そして、取付け用フレーム８はディスクトレイ５の前端部に固定されているので、トレイ飾り６がばね体３によってディスクトレイ５の前端部に近付く方向に常時付勢されていることになる。
【００４５】
この実施形態の取付け構造には、ばね体３によってディスクトレイ５の前端部に近付く方向に付勢されたトレイ飾り６をディスクトレイ５に対する初期位置に位置決めするための位置決め機構７と、ディスクトレイ５に対するトレイ飾り６の上記前後方向に直交する任意方向での変位幅を規制する変位幅規制機構９とが設けられている。
【００４６】
図７のように、位置決め機構７は、取付け用フレーム８に設けられた先端が円錐状を形成している突起７１と、トレイ飾り６（具体的にはトレイ飾り本体６１）に設けられた円錐状壁面７３を有する凹部７２とによって形成されていて、突起７１の円錐状の先端が凹部７２に嵌まり込むようになっている。また、この位置決め機構７は、間隔を隔てた２箇所に設けられている。したがって、ばね体３によって取付け用フレーム８側にトレイ飾り６が引き寄せられている状態で、２箇所の位置決め機構７において突起７１が凹部７２に嵌まり込んでいると、トレイ飾り６が、取付け用フレーム８が動かないように固定されているディスクトレイ５に対して定位置に位置決めされる。こうして位置決めされているトレイ飾り６の位置がディスクトレイ５に対する初期位置になる。この実施形態では、トレイ飾り６及び取付け用フレーム８の幅方向（長手方向）の両端部２箇所に位置決め機構７を設けることによって、トレイ飾り６と取付け用フレーム８、ひいてはトレイ飾り６とディスクトレイ５の初期位置での位置決め精度を高めてある（図３Ｂ参照）。
【００４７】
この実施形態において、変位幅規制機構９は、図７に示した第１突出部４１と同一部位によって形成されている円柱状の軸部９１と、同図に示した第１開口部８４と同一部位によって形成されている円形孔部９２とによって構成されている。この構成を備える変位幅規制機構９によると、円形孔部９２に遊嵌合している軸部９１の周囲の隙間、すなわち遊び空間の広さに見合う量だけ、トレイ飾り６が、取付け用フレーム８の固定されているディスクトレイ５に対して前後方向に直交する任意方向に変位することができるようになる。言い換えると、トレイ飾り６は、ディスクトレイ５に対して前後方向に直交する任意方向に変位可能であるけれども、その変位幅は、軸部９１と円形孔部９２の口縁とが当接することによって規制されるようになる。
【００４８】
さらに、この実施形態の取付け構造には、ばね体３を形成している圧縮コイルばねの輪線部同士が嵌まり合わないように当該圧縮コイルばねの収縮量を規制するストッパ機構１０が追加されている。図７に示したように、このストッパ機構１０は、トレイ飾り６を形成しているトレイ飾り本体６１から突出された円柱状の第２突出部１０１と、取付け用フレーム８を貫通して形成された円形の第２開口部１０２と、第２突出部１０１の頂部に取り付けられていて第２開口部１０１よりも径大な鍔部１０３と、第２開口部１０１の口縁部により形成されている円環状の受け部１０４とを有している。そして、第２突出部１０１が隙間を保持して第２開口部１０２に遊嵌合されていると共に、鍔部１０３に間隔を隔てて受け部１０４が対峙している。第２突出部１０１と第２開口部１０２の口縁との間の隙間の広さは、上記した円形孔部９２に遊嵌合している軸部９１の周囲の隙間（遊び空間）の広さよりも広くなっている。また、鍔部１０３と受け部１０４との隙間の広さは、鍔部１０３と受け部１０４とが当接した状態でも、ばね体３でなる圧縮コイルばねの輪線部同士が嵌まり合うことのない程度に定められている。この実施形態では、鍔部１０３が、第２突出部１０１の頂部にねじ込まれたビス１０５に一体に形成されている。すなわち、ビス１０５に鍔付きビスを用いることにより、そのビス１０５の鍔部分で上記鍔部１０３を形成させている。
【００４９】
取付け用フレーム８にトレイ飾り６を取り付けるときの組立て中間段階の状態を図４Ａと図４Ｂに示してあり、図４Ａは組立て中間段階の概略斜視図、図４Ｂは組立て中間段階の水平断面図である。さらに、図５Ａは組立て後の概略斜視図、図５Ｂは組立て後の水平断面図であり、図６は組立て後の背面図である。なお、図３Ａ、図４Ａ、図５Ａでは、ビス１０５を用いた上記ストッパ機構１０が図示省略されている。
【００５０】
図５Ｂ及び図６に示されているように、この実施形態の取付け構造では、上記した位置決め機構７における場合と同様に、ばね体取付け部構造とストッパ機構１０とを、トレイ飾り６及び取付け用フレーム８の幅方向の両端部２箇所に対称に設けてある。
【００５１】
取付け用フレーム８にトレイ飾り６を取り付けるときの組立て工程の一例を図４Ｂ、図５Ｂを参照して次に説明する。
【００５２】
図４Ｂのように、組立て工程の初期段階では、トレイ飾り本体６１の上に取付け用フレーム８を重なり状に合わせる作業が行われる。この作業では、幅方向２箇所の位置決め機構７の突起７１（図７参照）が凹部７２（図７参照）に嵌め込まれて、トレイ飾り本体６１に対して取付け用フレーム８が位置決めされる。また、トレイ飾り本体６１の第１突出部４１や第２突出部１０１が、取付け用フレーム８の第１開口部８４や第２開口部１０２にそれぞれ遊嵌合される。なお、この実施形態では、変位幅規制機構９の軸部９１が上記第１突出部４１と同一部位によって兼用され、かつ、変位幅規制機構９の円形孔部９２が上記第１開口部８４と同一部位によって兼用されているので、トレイ飾り本体６１の第１突出部４１を取付け用フレーム８の第１開口部８４に遊嵌合させることによって、上記軸部９１や円形孔部９２に遊嵌合される。
【００５３】
次の工程では、図５Ｂのように、ばね体３をトレイ飾り本体６１側のばね受座８５と取付け用フレーム８側のフック部４２との間に介在させる作業が行われる。この作業を図９又は図１０を参照して説明する。まず、圧縮コイルばねでなるばね体３を第１突出部４１やフック部４２に外嵌合させてその軸方向一端部をトレイ飾り本体６１側のばね受座８５の上に載架する。この後、図１０のように、ばね体３の軸方向一端部に設けられている線状の係止端３１を、２つのフック要素４３，４３の間の隙間Ｓに位置合わせする。次に、ばね体３を圧縮させながら係止端３１を隙間Ｓに押し込んで２つのフック要素４３，４３の横孔部４５，４５の位置まで押し下げ、続いて、図１０に矢印Ｒで示したように横孔部４５，４５を経て掛け止め部４４に対応する箇所まで係止端３１を回転させ、最後に、係止端３１を押し込んでいる力を解除してばね体３を復元させることにより、その係止端３１を掛け止め部４４に係止させる。係止端３１をフック要素４３，４３の掛り止め部４４に係止させるときには、係止端３１の末端が取付け用フレーム８の目隠し板部８２側を向くようにすると、その係止端３１の末端で作業者が怪我をする危険性が少なくなり、また、係止端３１の末端に手の指などが引掛かるおそれが少なくなるという利点がある。なお、図４Ａは図４Ｂに対応する斜視図であり、図５Ａは図５Ｂに対応する斜視図である。
【００５４】
図９及び図１０を参照して説明した上記作業を行うことにより、図５Ｂ及び図６のように、取付け用フレーム８にトレイ飾り６が取り付けられ、その取付け状態では、ばね体３を介して取付け用フレーム８とトレイ飾り６とが連結されている。こうして連結された取付け用フレーム８とトレイ飾り６との一体部品がトレイ飾りユニットＡである。
【００５５】
上記トレイ飾りユニットＡにあっては、その取付け用フレーム８が取付け機構８３を介してフロントパネル１の開口窓２１の外側へ突き出されたディスクトレイ５の前端部に動かないように固定される（図１参照）。
【００５６】
こうしてディスクトレイ５に取り付けられたトレイ飾りユニットＡにおいて、トレイ飾り６は、取付け用フレーム８にばね体３によって連結されている過ぎず、かつ、変位幅規制機構９がディスクトレイ５に対するトレイ飾り６の前後方向に直交する任意方向での変位幅を規制しているだけである。そのため、トレイ飾り６は、変位幅規制機構９がトレイ飾り６の変位幅を規制しない限り、ディスクトレイ５に対して前後方向と交差する任意方向に変位可能である。
【００５７】
図１１はディスクトレイ５がフロントパネル１の開口窓２１を通してキャビネットの外方の突出位置に向けて前進移動している途中の段階を示した横断平面図、図１２はディスクトレイ５がキャビネットの内方の後退位置まで後退移動している状態を示した横断平面図、図１３はトレイ飾り６が何らかの外力によって強制的に前方へ引き出された状態を示した横断平面図である。
【００５８】
図１１のように、ディスクトレイ５が矢印Ｙ１のようにキャビネットの外方の突出位置に向けて前進移動しているときには、トレイ飾り６がフロントハネル１の凹入部２から突き出ている。この状態では、ばね体３の付勢作用によって位置決め機構７の突起７１が凹部７２に嵌まり込んでいるので、トレイ飾り６が取付け用フレーム８に対して位置決めされている。したがって、トレイ飾り６がディスクトレイ５に対する初期位置に位置決めされていることになる。ディスクトレイ５がキャビネットの外方の突出位置まで前進移動しているときでも同様である。したがって、トレイ飾り６がフロントパネル１の凹入部２から突き出ているときには、そのトレイ飾り６がディスクトレイ５に対する初期位置に位置決めされて良好な外観が得られる。
【００５９】
図１２のように、ディスクトレイ５が矢印Ｙ２のようにキャビネットの内方の後退位置まで後退移動しているときには、トレイ飾り６が凹入部２の底壁２２に当接する一方で、ディスクトレイ５はばね体３を少し圧縮させている。したがって、ディスクトレイ５の後退位置の誤差をばね体３によって容易に吸収させたりすることが可能である。また、位置決め機構７の突起７１は凹部７２から抜け出て位置決め状態が解除されている。そのため、仮に、凹入部２に、トレイ飾り６を凹入部２の中央位置に誘導するためのガイド機構が設けられている場合、トレイ飾り６は、そのガイド機構により誘導されて凹入部２の中央位置に確実に位置合わせ（センタリング）される。このセンタリングは、トレイ飾り６がディスクトレイ５やそれに固定されている取付け用フレーム８に対して変位することにより行われるので、センタリングによる調整幅がローダに対するディスクトレイの組付けガタの大きさに依存することはない。
【００６０】
図１３のように、トレイ飾り６が何らかの外力、たとえば人力により人為的に矢印Ｙ１のように前方へ引っ張られたような場合には、トレイ飾り６が強制的に前方へ引き出されてしまうことがある。そのような事態が生じると、ばね体３が圧縮過度になって、そのばね体３を形成している圧縮コイルばねの輪線部同士が嵌まり合ってしまって、圧縮コイルばねによる適正な付勢作用が損なわれるという事態の起こるおそれがある。そこで、この実施形態では、図１３のようにストッパ機構１０を追加し、ストッパ機構１０の鍔部１０３がその受け部１０４に当接することにより圧縮コイルばねの収縮量を規制するようにしてある。
【００６１】
実施形態の取付け構造では、取付け用フレーム８にトレイ飾り６を連結するためのばね体３として圧縮コイルばねを用いている。図１４及び図１５には、この取付け構造に採用し得る２種類の圧縮コイルばねの形状を斜視図で示してある。
【００６２】
これらの圧縮コイルばねは、いずれも側面視が裁頭円錐形状を有している。ばね体３として側面視が裁頭円錐形状の圧縮コイルばねを用いると、ばね体３の軸方向一端部の直径をばね受座８５（図７参照）のサイズに合わせ、ばね体３の軸方向他端部の直径をフック部４２（図７参照）のサイズに合わせることが容易であるという利点がある。また、上記圧縮コイルばねは、軸方向で相隣接している任意の２つの輪線部３２，３３の相互において軸方向一端部に近い側の輪線部３３の直径よりも軸方向他端部に近い側の輪線部３２の直径が短くなっている。また、それら２つの輪線部３２，３３のそれぞれの直径の寸法差は、それらの輪線部３２，３３の軸方向投影像が重なり合う値に定められている。すなわち、圧縮コイルばねを軸方向に見たときに、相隣接している任意の２つの２つの輪線部３２，３３の相互間では、径小な輪線部３２の外周部が径大な輪線部３３の内周部に重なり合って見える。
【００６３】
そして、図１４に示したばね体３としての圧縮コイルばねでは、軸方向他端部に設けられている線状の係止端３１が、軸方向他端部の輪線部３４の両側に突き出ている。したがって、圧縮コイルばねが過度に圧縮されたときには、図１６に説明的に示したように、係止端３１が輪線部３４に係合するので、その係止端３１が輪線部３４の内側に嵌まり込んで圧縮コイルばねによる適正な付勢作用が損なわれるという事態が起こらない。したがって、図１４に示した圧縮コイルばねを用いると、図７や図１３を参照して説明したストッパ機構１０を省略することも可能である。
【００６４】
これに対し、図１５に示したばね体３としての圧縮コイルばねでは、軸方向他端部に設けられている線状の係止端３１が、軸方向他端部の輪線部３４の直径寸法と略同一寸法に定められている。したがって、図１５の圧縮コイルばねでは、それが過度に圧縮されたときには、図１７に説明的に示したように、係止端３１が輪線部３４にの内側に嵌まり込んでしまって、圧縮コイルばねによる適正な付勢作用が損なわれるおそれがある。しかし、図７や図１３を参照して説明したストッパ機構１０を採用しておくことにより、係止端３１が輪線部３４の内側に嵌まり込むことを抑制することが可能である。
【００６５】
図７及び図１０に示したように、この実施形態では、取付け用フレーム８に設けられているばね受座８５の周囲に円形のリブ８６が突設されている。そして、図１４に示したばね体３としての圧縮コイルばねの係止端３１の長さが、円形の上記リブ８６の外周直径よりも長くなっている。そのため、上記のように図１４の圧縮コイルばねを採用してストッパ機構１０を省略した場合でも、リブ８６の高さを適切に定めておくだけで、圧縮コイルばねが過度に圧縮されたときには、係止端３１がそのリブ８６に係合して輪線部３４の内側に嵌まり込むことが防止されるようになる。
【００６６】
この実施形態では、トレイ飾り本体６１に一体成形されているフック部４２の２つのフック要素４３が、第１突出部４１に向けて開いている鉤形の掛け止め部４４を有している。そのため、トレイ飾り本体６１を成形するための金型としては、２つの合わせ型の他に、それらの合わせ型の離型方向に対して直角方向にスライド可能なスライド型が必要になると考えられる。そこで、この実施形態では、２つの合わせ型だけでトレイ飾り本体６１を成形することができるようにするための対策を講じている。
【００６７】
すなわち、図９に示したように、第１突出部４１は、２つのフック要素４３の掛け止め部４４と横孔部４５との両方に対向する部位が軸方向全長に亘って欠除されている。図９には第１突出部４１の欠除箇所を符号４６で示してある。併せて、トレイ飾り本体６１には、第１突出部４１の欠除箇所４６に連通する開口４７を開設してある。開口４７は図２にも示されている。そして、それらの欠除箇所４６と開口４７とが、トレイ飾り本体６１を成形することに用いられる金型の抜き跡によって形成されている。この構成を採用しておくと、トレイ飾り本体６１の２つのフック要素４３が、第１突出部４１に向けて開いている鉤形の掛け止め部４４を有しているとしても、トレイ飾り本体６１を成形するための金型としては、２つの合わせ型を用いるだけで済み、上記したスライド型を必要としなくなる。図９の矢印Ｂ１，Ｂ２は上記した２つの合わせ型の離型方向を示している。
【００６８】
本発明の構成は上記した実施形態の構成に限定されない。たとえば、変位幅規制機構９の軸部９１や円形開口９２を、第１突出部４１や第１開口部８４の形成箇所とは異なる箇所に別途形成することが可能である。また、変位幅規制機構９の軸部９１や円形開口９２を、第２突出部１０や第２開口部１０２と同一部位によって兼用することも可能である。
【図面の簡単な説明】
【００６９】
【図１】キャビネットの要部とディスクトレイとの取り合わせを示した概略斜視図である。
【図２】本発明の第１実施形態に係るトレイ飾りや取付け用フレームなどを示した分解斜視図である。
【図３Ａ】トレイ飾りユニットの分解斜視図である。
【図３Ｂ】図３Ａに対応するトレイ飾りユニットの分解断面図である。
【図４Ａ】トレイ飾りユニットの組立て中間段階の概略斜視図である。
【図４Ｂ】図４Ａに対応するトレイ飾りユニットの組立て中間段階の水平断面図である。
【図５Ａ】トレイ飾りユニットの組立て後の概略斜視図である。
【図５Ｂ】図５Ａに対応する組立て後のトレイ飾りユニットの水平断面図である。
【図６】トレイ飾りユニットの組立て後の背面図である。
【図７】トレイ飾りユニットの部分断面図である。
【図８】トレイ飾りの部分背面図である。
【図９】図８のＩＸ−ＩＸ線に沿う部分の断面図である。
【図１０】ばね体の取付け部構造の背面図である。
【図１１】ディスクトレイが前進移動している途中の段階を示した横断平面図である。
【図１２】ディスクトレイが後退位置まで後退移動している状態を示した横断平面図である。
【図１３】トレイ飾りが強制的に前方へ引き出された状態を示した横断平面図である。
【図１４】圧縮コイルばねの形状を例示した斜視図である。
【図１５】圧縮コイルばねの他の形状を例示した斜視図である。
【図１６】図１４の圧縮コイルばねの作用説明図である。
【図１７】図１５の圧縮コイルばねの作用説明図である。
【符号の説明】
【００７０】
２  凹入部
３  ばね体（圧縮コイルばね）
５  ディスクトレイ
６  トレイ飾り
７  位置決め機構
８  取付け用フレーム
９  変位幅規制機構
１０  ストッパ機構
２２  凹入部の底壁
２１  開口窓
３１  圧縮コイルばねの係止端
３２，３３，２４  圧縮コイルばねの輪線部
４１  第１突出部
４２  フック部
４３  フック要素
４４  掛け止め部
４５  横孔部
４６  第１突出部の欠除箇所
４７  開口
７１  突起
７２  凹部
７３  円錐状壁面
８４  第１開口部
８５  ばね受座
８６  円形のリブ
９１  軸部
９２  円形孔部
１０１  第２突出部
１０２  第２開口部
１０３  径大な鍔部
１０４  受け部
１０５  ビス
Ｓ  隙間
Ｙ１  ディスクトレイの前進移動方向
Ｙ２  ディスクトレイの後退移動方向
【図１】
2010009678.tif 000003
【図２】
2010009678.tif 000004
【図３Ａ】
2010009678.tif 000005
【図３Ｂ】
2010009678.tif 000006
【図４Ａ】
2010009678.tif 000007
【図４Ｂ】
2010009678.tif 000008
【図５Ａ】
2010009678.tif 000009
【図５Ｂ】
2010009678.tif 000010
【図６】
2010009678.tif 000011
【図７】
2010009678.tif 000012
【図８】
2010009678.tif 000013
【図９】
2010009678.tif 000014
【図１０】
2010009678.tif 000015
【図１１】
2010009678.tif 000016
【図１２】
2010009678.tif 000017
【図１３】
2010009678.tif 000018
【図１４】
2010009678.tif 000019
【図１５】
2010009678.tif 000020
【図１６】
2010009678.tif 000021
【図１７】
2010009678.tif 000022